(57)【要約】【課題】少ない部品点数であって、化粧料皿を脱落しないように確実に保持しつつ、化粧料皿に作用する縦方向および横方向の衝撃を適切かつ十分に吸収することが可能であり、また化粧料を擦り取る際に化粧料皿が斜めに揺動することも防ぐことが可能な化粧料容器を提供する。【解決手段】容器本体４内に収納した化粧料皿６に加わる衝撃を吸収するために、容器本体内に設けた皿枠５に一体に、化粧料皿の底部２０中央部へ延出させて縦方向に可撓変形自在な単一の縦方向弾性片２２および化粧料皿の周側部２１に沿って延出させて横方向に可撓変形自在な複数の横方向弾性片２３を形成し、縦方向弾性片はその上に固定して化粧料皿を縦方向に弾性支持すべく、シート部２５を化粧料皿の底部中央部に一体的に接合し、横方向弾性片は化粧料皿をその縦方向移動を許容しつつ横方向に弾性支持すべく、その延出端２９を化粧料皿の周側部に摺動自在に当接させた。【選択図】          図２
2004283386.tif 000002
【特許請求の範囲】
【請求項１】
容器本体内に収納した化粧料皿に加わる縦方向および横方向の衝撃を吸収するようにした化粧料容器において、
上記容器本体内に設けた皿枠にこれと一体に、上記化粧料皿の底部中央部へ延出させて縦方向に可撓変形自在な単一の縦方向弾性片および該化粧料皿の周側部に沿って延出させて横方向に可撓変形自在な複数の横方向弾性片が形成され、上記縦方向弾性片はその上に固定して上記化粧料皿を縦方向に弾性支持すべく、その延出端が該化粧料皿の底部中央部に一体的に接合されるとともに、上記横方向弾性片は上記化粧料皿をその縦方向移動を許容しつつ横方向に弾性支持すべく、その延出端が該化粧料皿の周側部に摺動自在に当接されることを特徴とする化粧料容器。
【発明の詳細な説明】
【０００１】
【発明の属する技術分野】
本発明は、少ない部品点数であって、化粧料皿を脱落しないように確実に保持しつつ、化粧料皿に作用する縦方向および横方向の衝撃を適切かつ十分に吸収することが可能であり、また化粧料を擦り取る際に化粧料皿が斜めに揺動することも防ぐことが可能な化粧料容器に関する。
【０００２】
【従来の技術】
従来、化粧料を充填した化粧料皿が容器本体内に収納される化粧料容器の中には、それが落下されるなどして衝撃が加わった場合に化粧料に割れが生じるのを防止すべく、化粧料皿に加わる縦方向および横方向の衝撃を吸収するようにした化粧料容器が知られている。
【０００３】
例えば特許文献１の「化粧用コンパクト」では、合成樹脂製の容器本体内に、化粧料皿の底部を弾性支持して縦方向の衝撃を吸収するウレタンフォーム等の緩衝材シートと、化粧料皿の周側部を弾性支持して横方向の衝撃を吸収するゴム等の緩衝材リングとを組み込むようにしていた。しかしながら、特許文献１の構造では、縦方向および横方向の衝撃吸収用部品として、シートとリングという別々の２つの部品を用いていたために部品点数が多くコストアップになるとともに、組立性や生産性も良くないという問題があった。
【０００４】
このような問題を解決できるものとして、例えば特許文献２〜４が知られている。特許文献２の「化粧用コンパクト」では、容器本体内に収納皿を設けるようにし、この収納皿に縦方向および横方向の衝撃を吸収する複数のバネ片や複数のバネ体、あるいは弾性体を一括して形成し、これらバネ片等によって収納皿内に化粧料皿を保持しかつ弾性支持するようにしていた。
【０００５】
また特許文献３の「化粧料容器」では、容器本体内に皿枠を設けるようにし、この皿枠には、化粧料皿が縦方向に抜け出さないように保持する突起を形成した上で、化粧料皿の底部周縁を縦方向に弾性支持する弾性片および周側部を横方向に弾性支持する片持ち式の縦突起を形成するようにしていた。
【０００６】
さらに特許文献４の「コンパクト容器」は主に縦方向の衝撃を吸収するようにしたもので、容器本体内に軟質合成樹脂製の緩衝枠を設けるようにし、この緩衝枠の係合手段で化粧料皿を保持しつつ、その傾斜部で化粧料皿の底部周縁を縦方向に弾性支持するようにしていた。
【０００７】
【特許文献１】
実公昭６１−１２８８６号公報
【特許文献２】
実公昭６１−２５６８５号公報
【特許文献３】
実公昭６３−１６３３６号公報
【特許文献４】
実公昭６３−４６０１３号公報
【０００８】
【発明が解決しようとする課題】
上述したように特許文献１にあっては、化粧料皿に加わる縦方向および横方向の衝撃を吸収するために組み付けねばならない部品点数が多いという課題があった。他方、特許文献２にあっては、化粧料皿を弾性支持するためのバネ片やバネ体等を利用して化粧料皿を収納皿内に保持するようにしていたため、これらバネ片等の保持力が小さい場合には、化粧料皿が収納皿から容易に脱落してこの脱落によって化粧料に割れを生じさせるおそれがあるとともに、また保持力を大きくすると、弾性支持機能が損なわれて化粧料に割れを生じさせるおそれがあり、バネ片等の弾性の調整がきわめて難しいという課題があった。
【０００９】
特許文献３にあっては、化粧料皿が皿枠から容易に脱落しないように突起と弾性片とで化粧料皿を縦方向に挟んで保持するようにしており、この突起による保持のために縦方向への弾性支持性能が低下して、耐衝撃性が低いという課題があった。また、化粧料皿の底部周縁を弾性支持するようにしていたため、パフなどの化粧具で化粧料を化粧料皿から擦り取る際、化粧料皿が皿枠内でみそすり運動のように斜めに揺動するなどして、化粧操作性があまり良くないという課題もあった。
【００１０】
さらに特許文献４にあっては、化粧料皿が緩衝枠から容易に脱落しないように係合手段と傾斜部とで化粧料皿を縦方向に挟んで保持するようにしていたため、縦方向の弾性支持性能が低下して、特許文献３と同様に耐衝撃性が低かった。また、化粧料皿の底部周縁を傾斜部で弾性支持するようにしていたため、化粧料皿が緩衝枠内で斜めに揺動するなどして、特許文献３と同様に化粧操作性があまり良くなかった。
【００１１】
本発明は上記従来の課題に鑑みて創案されたものであって、少ない部品点数であって、化粧料皿を脱落しないように確実に保持しつつ、化粧料皿に作用する縦方向および横方向の衝撃を適切かつ十分に吸収することが可能であり、また化粧料を擦り取る際に化粧料皿が斜めに揺動することも防ぐことが可能な化粧料容器を提供することを目的とする。
【００１２】
【課題を解決するための手段】
本発明にかかる化粧料容器は、容器本体内に収納した化粧料皿に加わる縦方向および横方向の衝撃を吸収するようにした化粧料容器において、上記容器本体内に設けた皿枠にこれと一体に、上記化粧料皿の底部中央部へ延出させて縦方向に可撓変形自在な単一の縦方向弾性片および該化粧料皿の周側部に沿って延出させて横方向に可撓変形自在な複数の横方向弾性片が形成され、上記縦方向弾性片はその上に固定して上記化粧料皿を縦方向に弾性支持すべく、その延出端が該化粧料皿の底部中央部に一体的に接合されるとともに、上記横方向弾性片は上記化粧料皿をその縦方向移動を許容しつつ横方向に弾性支持すべく、その延出端が該化粧料皿の周側部に摺動自在に当接されることを特徴とする。
【００１３】
皿枠に一体に縦方向弾性片と横方向弾性片を形成していて、少ない部品点数で化粧料皿を縦方向および横方向に弾性支持することが可能である。また、化粧料皿を縦方向弾性片の延出端に一体的に接合するようにしていて、これにより化粧料皿が脱落しないように確実に保持することが可能である。
【００１４】
またこの化粧料皿の保持とは別に、縦方向弾性片は自由に可撓変形させることができ、また横方向弾性片にあっても、化粧料皿の縦方向移動を許容するようにその延出端を化粧料皿の周側部に摺動自在に当接させるようにしていて、自由に可撓変形させることができ、従ってこれら弾性片をもっぱら化粧料皿の弾性支持に寄与させることが可能であり、弾性支持機能を利用して化粧料皿を保持する場合に比べて弾性の調整が容易になって、化粧料皿に加わる縦方向および横方向の衝撃を適切かつ十分に吸収し得る。さらに、化粧料皿をその底部中央部で縦方向弾性片によって弾性支持するようにしていて、化粧料を擦り取る際に化粧料皿が斜めに揺動することを防ぐことが可能である。
【００１５】
【発明の実施の形態】
以下に、本発明にかかる化粧料容器の好適な一実施形態を、添付図面を参照して詳細に説明する。本実施形態にかかる化粧料容器１は図１〜図３に示すように、蓋体２がヒンジ３を介して後端部に回動自在に取り付けられて、当該蓋体２によって開閉される合成樹脂製の容器本体４と、容器本体４内部に設けられる合成樹脂製の皿枠５と、化粧料がその内部に充填され、皿枠５を介して容器本体４内に収納される金属製の化粧料皿６とから主に構成される。鏡７が取り付けられた蓋体２は容器本体４を閉止状態に維持するために、そのフック８が容器本体４前端部の係合突起９に係脱自在に係合される。
【００１６】
容器本体４は、底壁部１０とこの底壁部１０の周囲に立ち上げて形成された周壁部１１とから構成され、これら周壁部１１と底壁部１０とで取り囲まれた内部に凹所１２が区画形成される。皿枠５は、容器本体４の凹所１２内に左右一対の収納部１３，１４を区画形成する一対の環状壁部１５，１６と、容器本体４の底壁部１０上に重ね合わされ、これら環状壁部１５，１６に取り囲まれた各収納部１３，１４の底を形成する一対の底板部１７，１８と、これら環状壁部１５，１６の上端間を連結しかつその周縁部が容器本体４の周壁部１１上に重ね合わされて、環状壁部１５，１６相互間および環状壁部１５，１６と周壁部１１との隙間を覆う天板部１９とから構成される。図示例にあっては、各収納部は平面外形輪郭がほぼ矩形状に形成され、右側がパフなどの化粧具を収納する化粧具収納部１４とされ、左側が化粧料皿６を収納するための化粧料皿収納部１３とされている。
【００１７】
化粧料皿６は、底部２０とこの底部２０の周囲に立ち上げて形成された周側部２１とから構成され、その内部に化粧料が充填される。図示例にあっては、化粧料皿６の平面外形輪郭は化粧料皿収納部１３に合わせて、ほぼ矩形状に形成されている。
【００１８】
皿枠５にはこれと一体に、化粧料皿収納部１３に収納される化粧料皿６の底部２０中央部へ延出させて縦方向、すなわち容器本体４の高さ方向に可撓変形自在な単一の縦方向弾性片２２が形成される。また皿枠５にはこれと一体に、化粧料皿６の周側部２１に沿って延出させて横方向、すなわち容器本体４の前後方向もしくは左右方向に可撓変形自在な複数の横方向弾性片２３が形成される。
【００１９】
皿枠５の底板部１７には、これに縦方向弾性片２２を形成するために、ほぼＵ字形状のスリット２４が形成される。このスリット２４に取り囲まれて形成される縦方向弾性片２２は、底板部１７中央部に位置する延出端としての幅広な、図示例にあってはほぼ正方形状のシート部２５と、このシート部２５と底板部１７側縁部との間に位置する幅狭な帯状の弾性アーム部２６とから構成され、一端がシート部２５に連結された弾性アーム部２６の他端が底板部１７と連結されることにより、縦方向弾性片２２はその全体が底板部１７に対しカンチレバー状に容器本体４の高さ方向へ可撓変形自在に形成される。
【００２０】
縦方向弾性片２２はその弾性変形能を考慮して、全体的に底板部１７よりも肉薄に形成されるとともに、特に弾性アーム部２６は、シート部２５下面とその直下の容器本体４の底壁部１０との間に衝撃吸収時のシート部２５の移動スペースＳをより多く確保すべくシート部２５位置を高くするために、底板部１７からシート部２５に向かって斜め上向きに形成される。このような形態の縦方向弾性片２２は皿枠５の樹脂成形時にこれに一体に形成される。そしてシート部２５の上面には、その上に固定して縦方向弾性片２２により化粧料皿６を弾性支持するために、接着材２７が設けられる。
【００２１】
他方、化粧料皿収納部１３を区画する一方の環状壁部１５には、これに横方向弾性片２３を形成するために、周方向に沿って適宜間隔を隔てて、横向きにしたＵ字形状のスリット２８が複数形成され、これらスリット２８によって環状壁部１５には化粧料皿６の周側部２１に沿って複数の横方向弾性片２３が形成される。図示例にあっては横方向弾性片２３は、矩形状をなす環状壁部１５の各壁面に一つずつ形成されている。このスリット２８に取り囲まれて形成される各横方向弾性片２３は、基端が環状壁部１５に連結される一方、周側部２１に沿って延出された延出端２９が自由端とされることにより、その全体が環状壁部１５に対しカンチレバー状に容器本体４の前後方向若しくは左右方向へ可撓変形自在に形成される。
【００２２】
そしてこの横方向弾性片２３は、化粧料皿収納部１３に収納され縦方向弾性片２２上に固定される化粧料皿６が容器本体４の高さ方向に移動するのを許容しつつ、当該化粧料皿６を容器本体４の前後・左右方向に弾性支持すべく、その延出端２９が化粧料皿６の周側部２１に摺動自在に圧接される。図示例にあっては、横方向弾性片２３の各延出端２９には、その弾性変形能を効率よく化粧料皿６に作用させるために、化粧料皿収納部１３内方にわずかに突出させて突起３０が形成されている。この横方向弾性片２３にあっても、その弾性変形能を考慮して、また容器本体４の周壁部１１との間に衝撃吸収時の変形スペースＴをより多く確保すべく、全体的に環状壁部１５よりも肉薄に形成される。このような形態の横方向弾性片２３も、皿枠５の樹脂成形時にこれに一体に形成される。
【００２３】
次に、本実施形態の化粧料容器１の作用について説明する。平面外形輪郭を一致させて形成した化粧料皿６を化粧料皿収納部１３に挿入すると、化粧料皿６は、その底部２０中央部が接着材２７を介してシート部２５に固定されて、縦方向弾性片２２により容器本体４の高さ方向に弾性支持されるとともに、周側部２１が突起３０を介して横方向弾性片２３により、容器本体４の高さ方向への移動を許容されつつ、容器本体４の前後・左右方向に弾性支持される。
【００２４】
そして化粧料容器１が落下されるなどして衝撃が加わった場合には、容器本体内４の化粧料皿６の動きに応じて、その高さ方向については、縦方向弾性片２２が可撓変形してその弾性により衝撃を吸収でき、また前後・左右方向については、横方向弾性片２３が可撓変形してその弾性により衝撃を吸収できて、化粧料皿６に充填されている化粧料に割れなどが生じることを防止することができる。
【００２５】
特に、本実施形態にかかる化粧料容器１にあっては、皿枠５に一体に縦方向弾性片２２と横方向弾性片２３を形成するようにしたので、従来と遜色のない、少ない部品点数で、従ってまた組立性や生産性良好に、化粧料皿６を容器本体４の高さ方向および前後・左右方向に弾性支持する構造を構成することができる。また、化粧料皿６を縦方向弾性片２２のシート部２５に一体的に接合するようにしたので、これにより化粧料皿６が皿枠５や容器本体４から脱落しないように確実に保持することができる。
【００２６】
また、接着材２７によるシート部２５への化粧料皿６の保持とは別に、縦方向弾性片２２は自由に可撓変形させることができ、また横方向弾性片２３にあっても、化粧料皿６が容器本体４の高さ方向に移動するのを許容すべく、その延出端２９を化粧料皿６の周側部２１に摺動自在に当接させるようにして、化粧料皿６の保持とは切り離して当該横方向弾性片２３を自由に可撓変形させることができるので、従ってこれら弾性片２２，２３をもっぱら化粧料皿６の弾性支持に寄与させることができ、弾性支持機能を利用して化粧料皿６を保持する場合に比べて弾性の調整が容易になって、化粧料皿６に加わるあらゆる方向からの衝撃を適切かつ十分に吸収させることができる。さらに、化粧料皿６をその底部２０中央部で縦方向弾性片２２によって弾性支持するようにしたので、化粧料を擦り取る際に化粧料皿６が斜めに揺動することを抑制することができる。
【００２７】
【発明の効果】
以上要するに、本発明にかかる化粧料容器にあっては、少ない部品点数で生産することができ、また化粧料皿を脱落しないように確実に保持できるとともに、化粧料皿に作用する縦方向および横方向の衝撃を適切かつ十分に吸収することができ、さらに化粧料を擦り取る際に化粧料皿が斜めに揺動することも防ぐことができる。
【図面の簡単な説明】
【図１】本発明にかかる化粧料容器の好適な一実施形態を示す分解斜視図である。
【図２】図１の化粧料容器の側断面図である。
【図３】図１の化粧料容器の平面断面図である。
【符号の説明】
１  化粧料容器                      ４  容器本体
５  皿枠                            ６  化粧料皿
２０  化粧料皿の底部                ２１  化粧料皿の周側部
２２  縦方向弾性片                  ２３  横方向弾性片
２５  シート部                      ２９  横方向弾性片の延出端
【図１】
2004283386.tif 000003
【図２】
2004283386.tif 000004
【図３】
2004283386.tif 000005